(57)【要約】【課題】移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにハンドオーバする。【解決手段】本発明に係る移動通信方法は、ＦＤＤ方式の無線基地局ｅＮＢ＃１が、ＴＤＤ方式の無線基地局ｅＮＢ＃２に対して、「ＦＧＩ  ｂｉｔ  ｃｏｍｍｏｎ  ｐａｒｔ」を含む「Ｈａｎｄｏｖｅｒ  Ｒｅｑｕｅｓｔ」を送信する工程と、ＴＤＤ方式の無線基地局ｅＮＢ＃２が、移動局ＵＥからの「Ｈａｎｄｏｖｅｒ  Ｃｏｍｐｌｅｔｅ」に応じて、移動局ＵＥから、「ＴＤＤ  ｕｎｉｑｕｅ  ｐａｒｔ」を取得する工程と、ＴＤＤ方式の無線基地局ｅＮＢ＃２が、移動管理ノードＭＭＥに対して、「ＴＤＤ  ｕｎｉｑｕｅ  ｐａｒｔ」及び「ＦＧＩ  ｂｉｔ  ｃｏｍｍｏｎ  ｐａｒｔ」を報告する工程とを有する。【選択図】図５
2013102293.tif 000002
【特許請求の範囲】
【請求項１】
ＦＤＤ方式のネットワーク及びＴＤＤ方式のネットワークを具備する移動通信システムであって、
移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、
前記移動局は、前記ＦＤＤ方式のネットワークにアタッチ処理を行う際に、該ＦＤＤ方式のネットワーク対して、前記ＦＤＤ方式に固有の固有部分及び前記共通部分からなる前記機能グループ指示情報を報告するように構成されており、
前記移動局は、前記ＴＤＤ方式のネットワークにアタッチ処理を行う際に、該ＴＤＤ方式のネットワーク対して、前記ＴＤＤ方式に固有の固有部分及び前記共通部分からなる前記機能グループ指示情報を報告するように構成されており、
前記ＦＤＤ方式のネットワーク及び前記ＴＤＤ方式のネットワークは、前記共有部分と前記固有部分とを区別することができるように構成されていることを特徴とする移動通信システム。
【請求項２】
移動局が、ＦＤＤ方式の無線基地局配下のセルからＴＤＤ方式の無線基地局配下のセルにハンドオーバする移動通信方法であって、
前記移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、
前記ＦＤＤ方式の無線基地局が、前記ＴＤＤ方式の無線基地局に対して、前記共通部分を含むハンドオーバ要求信号を送信する工程と、
前記ＴＤＤ方式の無線基地局が、前記移動局からのハンドオーバ完了信号に応じて、該移動局から、前記ＴＤＤ方式に固有の固有部分を取得する工程と、
前記ＴＤＤ方式の無線基地局が、移動管理ノードに対して、前記ＴＤＤ方式に固有の固有部分及び前記共通部分を報告する工程とを有することを特徴とする移動通信方法。
【請求項３】
移動局が、ＴＤＤ方式の無線基地局配下のセルからＦＤＤ方式の無線基地局配下のセルにハンドオーバする移動通信方法であって、
前記移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、
前記ＴＤＤ方式の無線基地局が、前記ＦＤＤ方式の無線基地局に対して、前記共通部分を含むハンドオーバ要求信号を送信する工程と、
前記ＦＤＤ方式の無線基地局が、前記移動局からのハンドオーバ完了信号に応じて、該移動局から、前記ＦＤＤ方式に固有の固有部分を取得する工程と、
前記ＦＤＤ方式の無線基地局が、移動管理ノードに対して、前記ＦＤＤ方式に固有の固有部分及び前記共通部分を報告する工程とを有することを特徴とする移動通信方法。
【発明の詳細な説明】
【技術分野】
【０００１】
本発明は、移動通信システム及び移動通信方法に関する。
【背景技術】
【０００２】
ＬＴＥ（Ｌｏｎｇ  Ｔｅｒｍ  Ｅｖｏｌｕｔｉｏｎ）方式では、あるリリース（Ｒｅｌｅａｓｅ）に含まれる必須（Ｍａｎｄａｔｏｒｙ）機能は、非常に多く存在するため、あるリリースに対応している移動局ＵＥであっても、一概に全ての必須機能をサポートしているというわけではない。
【０００３】
したがって、ＬＴＥ方式では、あるリリース（例えば、Ｒｅｌｅａｓｅ-８やＲｅｌｅａｓｅ-１０等）において移動局ＵＥによってサポートされている必須機能について示す「ＦＧＩビットセット（Ｆｅａｔｕｒｅ  Ｇｒｏｕｐ  Ｉｎｄｉｃａｔｏｒｓ、機能グループ指示情報）」が規定されている（非特許文献１参照）。
【０００４】
具体的には、ＦＧＩビットセットは、あるリリースにおける必須機能のグループ毎に移動局ＵＥが対応するか否かについて示すＦＧＩビットの集合である。
【０００５】
また、ＦＩＧビットセットは、「ＵＥ  Ｃａｐａｂｉｌｉｔｙ  Ｉｎｆｏｒｍａｔｉｏｎ」によって、移動局ＵＥから無線アクセスネットワークに対して通知されるように構成されている。
【０００６】
現在、ＬＴＥ方式の仕様策定会議において、ＦＤＤ（Ｆｒｅｑｕｅｎｃｙ  Ｄｉｖｉｓｉｏｎ  Ｄｕｐｌｅｘ）方式におけるＦＧＩビットセット及びＴＤＤ（Ｔｉｍｅ  Ｄｉｖｉｓｉｏｎ  Ｄｕｐｌｅｘ）方式におけるＦＧＩビットセットを区別することなく、共通のシグナリング（例えば、ＲＲＣシグナリング）で制御することが検討されている。
【０００７】
また、ＬＴＥ方式の仕様策定会議において、移動局ＵＥが、接続する無線アクセスネットワークがＦＤＤ方式又はＴＤＤ方式のどちらであるかを判断して、報告するＦＩＧビットセットを変更することが検討されている。
【先行技術文献】
【非特許文献】
【０００８】
【非特許文献１】３ＧＰＰ  ＴＳ３６.３３１  Ａｎｎｅｘ  Ｂ.１/Ｃ.１
【非特許文献２】３ＧＰＰ  ＴＳ２３.４０１
【発明の概要】
【発明が解決しようとする課題】
【０００９】
しかしながら、現在のＬＴＥ方式の仕様では、移動局ＵＥは、「ＵＥ  Ｃａｐａｂｉｌｉｔｙ（ＦＧＩビットセットを含む）」の内容を変更する場合には、デタッチ（Ｄｅｔａｃｈ）処理を行う必要がある。
【００１０】
したがって、ＦＤＤ方式及びＴＤＤ方式の両方に対応している移動通信システムでは、移動局ＵＥは、同一の位置登録エリア内であっても、ＦＤＤ方式の無線基地局ｅＮＢ配下のセルからＴＤＤ方式の無線基地局ｅＮＢ配下のセルにハンドオーバする場合、及び、ＴＤＤ方式の無線基地局ｅＮＢ配下のセルからＦＤＤ方式の無線基地局ｅＮＢ配下のセルにハンドオーバする場合には、「ＵＥ  Ｃａｐａｂｉｌｉｔｙ」の内容（すなわち、ＦＧＩビットセットの内容）を変更することになるため、その都度、デタッチ処理を行う必要があるという問題点があった。
【００１１】
そこで、本発明は、上述の課題に鑑みてなされたものであり、移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにハンドオーバすることができる移動通信システム及び移動通信方法を提供することを目的とする。
【００１２】
また、本発明は、移動局ＵＥが、デタッチ処理を行うことなく、同一の位置登録エリア内のＴＤＤ方式の無線基地局ｅＮＢ配下のセルからＦＤＤ方式の無線基地局ｅＮＢ配下のセルにハンドオーバすることができる移動通信システム及び移動通信方法を提供することを目的とする。
【課題を解決するための手段】
【００１３】
本発明の第１の特徴は、ＦＤＤ方式のネットワーク及びＴＤＤ方式のネットワークを具備する移動通信システムであって、移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、前記移動局は、前記ＦＤＤ方式のネットワークにアタッチ処理を行う際に、該ＦＤＤ方式のネットワーク対して、前記ＦＤＤ方式に固有の固有部分及び前記共通部分からなる前記機能グループ指示情報を報告するように構成されており、前記移動局は、前記ＴＤＤ方式のネットワークにアタッチ処理を行う際に、該ＴＤＤ方式のネットワーク対して、前記ＴＤＤ方式に固有の固有部分及び前記共通部分からなる前記機能グループ指示情報を報告するように構成されており、前記ＦＤＤ方式のネットワーク及び前記ＴＤＤ方式のネットワークは、前記共有部分と前記固有部分とを区別することができるように構成されていることを要旨とする。
【００１４】
本発明の第２の特徴は、移動局が、ＦＤＤ方式の無線基地局配下のセルからＴＤＤ方式の無線基地局配下のセルにハンドオーバする移動通信方法であって、前記移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、前記ＦＤＤ方式の無線基地局が、前記ＴＤＤ方式の無線基地局に対して、前記共通部分を含むハンドオーバ要求信号を送信する工程と、前記ＴＤＤ方式の無線基地局が、前記移動局からのハンドオーバ完了信号に応じて、該移動局から、前記ＴＤＤ方式に固有の固有部分を取得する工程と、前記ＴＤＤ方式の無線基地局が、移動管理ノードに対して、前記ＴＤＤ方式に固有の固有部分及び前記共通部分を報告する工程とを有することを要旨とする。
【００１５】
本発明の第３の特徴は、移動局が、ＴＤＤ方式の無線基地局配下のセルからＦＤＤ方式の無線基地局配下のセルにハンドオーバする移動通信方法であって、前記移動局によってサポートされている必須機能について示す機能グループ指示情報は、ＦＤＤ方式及びＴＤＤ方式で共通する共通部分と、ＦＤＤ方式及びＴＤＤ方式の各々に固有の固有部分とによって構成されており、前記ＴＤＤ方式の無線基地局が、前記ＦＤＤ方式の無線基地局に対して、前記共通部分を含むハンドオーバ要求信号を送信する工程と、前記ＦＤＤ方式の無線基地局が、前記移動局からのハンドオーバ完了信号に応じて、該移動局から、前記ＦＤＤ方式に固有の固有部分を取得する工程と、前記ＦＤＤ方式の無線基地局が、移動管理ノードに対して、前記ＦＤＤ方式に固有の固有部分及び前記共通部分を報告する工程とを有することを要旨とする。
【発明の効果】
【００１６】
以上説明したように、本発明によれば、移動局ＵＥが、デタッチ処理を行うことなく、同一の位置登録エリア内のＦＤＤ方式の無線基地局ｅＮＢ配下のセルからＴＤＤ方式の無線基地局ｅＮＢ配下のセルにハンドオーバすることができる移動通信システム及び移動通信方法を提供することができる。
【００１７】
また、本発明によれば、移動局ＵＥが、デタッチ処理を行うことなく、同一の位置登録エリア内のＴＤＤ方式の無線基地局ｅＮＢ配下のセルからＦＤＤ方式の無線基地局ｅＮＢ配下のセルにハンドオーバすることができる移動通信システム及び移動通信方法を提供することができる。
【図面の簡単な説明】
【００１８】
【図１】本発明の第１の実施形態に係る移動通信システムの全体構成図である。
【図２】本発明の第１の実施形態に係る移動通信システムで用いられるＦＧＩビットセットの一例を示す図である。
【図３】本発明の第１の実施形態に係る移動局の機能ブロック図である。
【図４】本発明の第１の実施形態に係る無線基地局の機能ブロック図である。
【図５】本発明の第１の実施形態に係る移動通信システムの動作を説明するシーケンス図である。
【図６】本発明の第１の実施形態に係る移動通信システムの動作を説明するシーケンス図である。
【発明を実施するための形態】
【００１９】
（本発明の第１の実施形態に係る移動通信システム）
図１乃至図６を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００２０】
図１に示すように、本実施形態に係る移動通信システムは、移動管理ノードＭＭＥ（Ｍｏｂｉｌｉｔｙ  Ｍａｎａｇｅｍｅｎｔ  Ｅｎｔｉｔｙ）と、ＦＤＤ方式の無線基地局ｅＮＢ＃１と、ＴＤＤ方式の無線基地局ｅＮＢ＃２とを具備している。
【００２１】
図２に示すように、本実施形態に係る移動通信システムでは、ＦＧＩビットセットは、「ＦＧＩ  ｂｉｔ  ｃｏｍｍｏｎ  ｐａｒｔ」と、「ＦＤＤ  ｕｎｉｑｕｅ  ｐａｒｔ」又は「ＴＤＤ  ｕｎｉｑｕｅ  ｐａｒｔ」とによって構成されている。
【００２２】
ここで、「ＦＧＩ  ｂｉｔ  ｃｏｍｍｏｎ  ｐａｒｔ」は、ＦＤＤ方式及びＴＤＤ方式で共通する共通部分であり、「ＦＤＤ  ｕｎｉｑｕｅ  ｐａｒｔ」は、ＦＤＤ方式に固有の固有部分であり、「ＴＤＤ  ｕｎｉｑｕｅ  ｐａｒｔ」は、ＴＤＤ方式に固有の固有部分である。
【００２３】
すなわち、ＦＤＤ方式用のＦＧＩビットセットは、「ＦＧＩ  ｂｉｔ  ｃｏｍｍｏｎ  ｐａｒｔ」と「ＦＤＤ  ｕｎｉｑｕｅ  ｐａｒｔ」とによって構成されており、ＴＤＤ方式用のＦＧＩビットセットは、「ＦＧＩ  ｂｉｔ  ｃｏｍｍｏｎ  ｐａｒｔ」と「ＴＤＤ  ｕｎｉｑｕｅ  ｐａｒｔ」とによって構成されている。
【００２４】
なお、「ＦＧＩ  ｂｉｔ  ｃｏｍｍｏｎ  ｐａｒｔ」は、移動局ＵＥの能力を考慮して設定されているものではないため、「ＦＧＩ  ｂｉｔ  ｃｏｍｍｏｎ  ｐａｒｔ」のみを用いた場合、移動局ＵＥの能力を最大限に活用した通信を行うことができない。
【００２５】
また、ＦＤＤ方式の無線基地局ｅＮＢ＃１（ＦＤＤ方式のネットワーク）及びＴＤＤ方式の無線基地局ｅＮＢ＃２（ＴＤＤ方式のネットワーク）は、「ＦＧＩ  ｂｉｔ  ｃｏｍｍｏｎ  ｐａｒｔ」と「ＦＤＤ  ｕｎｉｑｕｅ  ｐａｒｔ/ＴＤＤ  ｕｎｉｑｕｅ  ｐａｒｔ」とを区別することができるように構成されている。
【００２６】
図３に示すように、移動局ＵＥは、管理部１１と、受信部１２と、送信部１３とを具備している。
【００２７】
管理部１１は、移動局ＵＥのＦＧＩビットセットを管理するように構成されている。具体的には、管理部１１は、移動局ＵＥのＦＧＩビットセットとして、移動局ＵＥの「ＦＧＩ  ｂｉｔ  ｃｏｍｍｏｎ  ｐａｒｔ」と「ＦＤＤ  ｕｎｉｑｕｅ  ｐａｒｔ」と「ＴＤＤ  ｕｎｉｑｕｅ  ｐａｒｔ」とを区別して管理するように構成されている。
【００２８】
受信部１２は、無線基地局ｅＮＢ＃１/ｅＮＢ＃２や移動管理ノードＭＭＥから各種信号（例えば、図５及び図６に示す信号）を受信するように構成されている。
【００２９】
送信部１３は、無線基地局ｅＮＢ＃１/ｅＮＢ＃２や移動管理ノードＭＭＥに対して各種信号（例えば、図５及び図６に示す信号）を送信するように構成されている。
【００３０】
図４に示すように、無線基地局ｅＮＢ＃１/ｅＮＢ＃２は、管理部２１と、アタッチ処理部２２と、ハンドオーバ処理部２３とを具備している。
【００３１】
管理部２１は、各移動局ＵＥのＦＧＩビットセットを管理するように構成されている。具体的には、管理部１１は、各移動局ＵＥのＦＧＩビットセットとして、移動局ＵＥの「ＦＧＩ  ｂｉｔ  ｃｏｍｍｏｎ  ｐａｒｔ」と「ＦＤＤ  ｕｎｉｑｕｅ  ｐａｒｔ」と「ＴＤＤ  ｕｎｉｑｕｅ  ｐａｒｔ」とを区別して管理するように構成されている。
【００３２】
アタッチ処理部２２は、各移動局ＵＥのアタッチ処理の際に必要な動作を行うように構成されている（例えば、図５及び図６における処理）。
【００３３】
ハンドオーバ処理部２３は、各移動局ＵＥのハンドオーバ処理の際に必要な動作を行うように構成されている（例えば、図５及び図６における処理）。
【００３４】
以下、図５及び図６を参照して、本実施形態に係る移動通信システムの動作について説明する。
【００３５】
第１に、図５を参照して、本実施形態に係る移動通信システムにおいて、移動局ＵＥが、ＦＤＤ方式の無線基地局ｅＮＢ＃１配下のセルからＴＤＤ方式の無線基地局ｅＮＢ＃２配下のセルにハンドオーバする場合の動作について説明する。
【００３６】
図５に示すように、移動局ＵＥは、ステップＳ１００１において、アタッチを行うネットワークが、ＦＤＤ方式のネットワークであることを認識し、ステップＳ１００２において、移動管理ノードＭＭＥに対して、「Ａｔｔａｃｈ  Ｒｅｑｕｅｓｔ（アタッチ要求信号）」を送信する。
【００３７】
ステップＳ１００３において、移動管理ノードＭＭＥは、無線基地局ｅＮＢ＃１に対して、「Ａｔｔａｃｈ  Ａｃｃｅｐｔ（アタッチ受付信号）」を含む「ＵＥ  Ｉｎｉｔｉａｌ  Ｃｏｎｔｅｘｔ  Ｓｅｔｕｐ  Ｒｅｑｕｅｓｔ（初期コンテキスト設定要求信号）」を送信する。
【００３８】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知しない。
【００３９】
なお、「ＵＥ  Ｉｎｉｔｉａｌ  Ｃｏｎｔｅｘｔ  Ｓｅｔｕｐ  Ｒｅｑｕｅｓｔ」に含まれる「ＵＥ  Ｒａｄｉｏ  Ｃａｐａｂｉｌｉｔｙ」は、前回のＡｔｔａｃｈ手順において移動局ＵＥから移動管理ノードＭＭＥに対して通知され、移動管理ノードＭＭＥで保持されている「ＵＥ  Ｃａｐａｂｉｌｉｔｙ（ＦＧＩビットセットを含む）情報」である。初回のＡｔｔａｃｈ手順では、移動管理ノードＭＭＥは、かかる「ＵＥ  Ｒａｄｉｏ  Ｃａｐａｂｉｌｉｔｙ」を保持しない。
【００４０】
ステップＳ１００４において、無線基地局ｅＮＢ＃１は、移動局ＵＥに対して、「ＵＥ  Ｃａｐａｂｉｌｉｔｙ  Ｒｅｑｕｅｓｔ（能力要求信号）」を送信する。
【００４１】
ステップＳ１００５において、移動局ＵＥは、無線基地局ｅＮＢ＃１に対して、「ＦＧＩ  ｂｉｔ  ｃｏｍｍｏｎ  ｐａｒｔ」及び「ＦＤＤ  ｕｎｉｑｕｅ  ｐａｒｔ」からなるＦＧＩビットセットを含む「ＦＤＤ  ＵＥ  Ｃａｐａｂｉｌｉｔｙ（ＦＤＤ方式用の移動局ＵＥの能力情報）」を通知するための「ＵＥ  Ｃａｐａｂｉｌｉｔｙ  Ｉｎｆｏｒｍａｔｉｏｎ」を送信する。
【００４２】
無線基地局ｅＮＢ＃１は、ステップＳ１００６において、移動管理ノードＭＭＥに対して、「ＦＧＩ  ｂｉｔ  ｃｏｍｍｏｎ  ｐａｒｔ」及び「ＦＤＤ  ｕｎｉｑｕｅ  ｐａｒｔ」からなるＦＧＩビットセットを含む「ＦＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信し、ステップＳ１００７において、かかる「ＦＤＤ  ＵＥ  Ｃａｐａｂｉｌｉｔｙ」を保持する。
【００４３】
ステップＳ１００８において、移動管理ノードＭＭＥは、通知された「ＦＤＤ  ＵＥ  Ｃａｐａｂｉｌｉｔｙ」を保持する。
【００４４】
その後、移動局ＵＥは、ステップＳ１００９において、無線基地局ｅＮＢ＃１配下のセル（ＦＤＤネットワーク）において接続状態（ＲＲＣ  Ｃｏｎｎｅｃｔｅｄ  ｓｔａｔｅ）に遷移し、ステップＳ１０１０において、無線基地局ｅＮＢ＃１に対して、「Ｍｅａｓｕｒｅｍｅｎｔ  Ｒｅｐｏｒｔ（測定報告信号）」を送信する。
【００４５】
ステップＳ１０１１において、無線基地局ｅＮＢ＃１は、無線基地局ｅＮＢ＃２に対して、「ＦＧＩ  ｂｉｔ  ｃｏｍｍｏｎ  ｐａｒｔ」を含む「Ｈａｎｄｏｖｅｒ  Ｒｅｑｕｅｓｔ（ハンドオーバ要求信号）」を送信する。
【００４６】
ここで、「Ｈａｎｄｏｖｅｒ  Ｒｅｑｕｅｓｔ」には、「ＦＤＤ  ｕｎｉｑｕｅ  ｐａｒｔ」は含まれていなくてもよい。
【００４７】
ステップＳ１０１２において、無線基地局ｅＮＢ＃２は、無線基地局ｅＮＢ＃１に対して、「Ｈａｎｄｏｖｅｒ  Ｒｅｑｕｅｓｔ  Ａｃｋ（ハンドオーバ応答信号）」を送信する。
【００４８】
ここで、「Ｈａｎｄｏｖｅｒ  Ｒｅｑｕｅｓｔ  Ａｃｋ」には、「ＦＧＩ  ｂｉｔ  ｃｏｍｍｏｎ  ｐａｒｔ」に基づいて設定された「Ｈａｎｄｏｖｅｒ  Ｃｏｍｍａｎｄ（ハンドオーバ指示信号）」が含まれている。
【００４９】
ステップＳ１０１３において、無線基地局ｅＮＢ＃１は、移動局ＵＥに対して、かかる「Ｈａｎｄｏｖｅｒ  Ｃｏｍｍａｎｄ」を送信する。
【００５０】
ステップＳ１０１４において、移動局ＵＥは、無線基地局ｅＮＢ＃２に対して、「Ｈａｎｄｏｖｅｒ  Ｃｏｍｐｌｅｔｅ（ハンドオーバ完了信号）」を送信する。
【００５１】
ステップＳ１０１５において、無線基地局ｅＮＢ＃２は、移動局ＵＥに対して、「ＴＤＤ  ｕｎｉｑｕｅ  ｐａｒｔ」を含む「ＴＤＤ  ＵＥ  Ｃａｐａｂｉｌｉｔｙ（ＴＤＤ方式用の移動局ＵＥの能力情報）」を要求する「ＵＥ  Ｃａｐａｂｉｌｉｔｙ  Ｒｅｑｕｅｓｔ」を送信する。
【００５２】
ステップＳ１０１６において、移動局ＵＥは、無線基地局ｅＮＢ＃２に対して、「ＴＤＤ  ｕｎｉｑｕｅ  ｐａｒｔ」を含む「ＴＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００５３】
ここで、「ＴＤＤ  ＵＥ  Ｃａｐａｂｉｌｉｔｙ」には、「ＦＧＩ  ｂｉｔ  ｃｏｍｍｏｎ  ｐａｒｔ」が含まれていてもよい。
【００５４】
ステップＳ１０１７において、無線基地局ｅＮＢ＃２は、移動局ＵＥから受信した「ＴＤＤ  ｕｎｉｑｕｅ  ｐａｒｔ」を保持し、移動管理ノードＭＭＥに対して、「ＴＤＤ  ｕｎｉｑｕｅ  ｐａｒｔ」及び「ＦＧＩ  ｂｉｔ  ｃｏｍｍｏｎ  ｐａｒｔ」を含む「ＴＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信する。
【００５５】
ステップＳ１０１８において、移動管理ノードＭＭＥは、通知された「ＴＤＤ  ＵＥ  Ｃａｐａｂｉｌｉｔｙ」を保持する。
【００５６】
第２に、図６を参照して、本実施形態に係る移動通信システムにおいて、移動局ＵＥが、ＴＤＤ方式の無線基地局ｅＮＢ＃２配下のセルからＦＤＤ方式の無線基地局ｅＮＢ＃１配下のセルにハンドオーバする場合の動作について説明する。
【００５７】
図６に示すように、移動局ＵＥは、ステップＳ２００１において、アタッチを行うネットワークが、ＴＤＤ方式のネットワークであることを認識し、ステップＳ２００２において、移動管理ノードＭＭＥに対して、「Ａｔｔａｃｈ  Ｒｅｑｕｅｓｔ」を送信する。
【００５８】
ステップＳ２００３において、移動管理ノードＭＭＥは、無線基地局ｅＮＢ＃２に対して、「Ａｔｔａｃｈ  Ａｃｃｅｐｔ」を含む「ＵＥ  Ｉｎｉｔｉａｌ  Ｃｏｎｔｅｘｔ  Ｓｅｔｕｐ  Ｒｅｑｕｅｓｔ」を送信する。
【００５９】
ここで、「ＵＥ  Ｉｎｉｔｉａｌ  Ｃｏｎｔｅｘｔ  Ｓｅｔｕｐ  Ｒｅｑｕｅｓｔ」は、移動局ＵＥの「ＵＥ  Ｒａｄｉｏ  Ｃａｐａｂｉｌｉｔｙ」を通知しない。
【００６０】
ステップＳ２００４において、無線基地局ｅＮＢ＃２は、移動局ＵＥに対して、「ＵＥ  Ｃａｐａｂｉｌｉｔｙ  Ｒｅｑｕｅｓｔ」を送信する。
【００６１】
ステップＳ２００５において、移動局ＵＥは、無線基地局ｅＮＢ＃２に対して、「ＦＧＩ  ｂｉｔ  ｃｏｍｍｏｎ  ｐａｒｔ」及び「ＴＤＤ  ｕｎｉｑｕｅ  ｐａｒｔ」からなるＦＧＩビットセットを含む「ＴＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００６２】
無線基地局ｅＮＢ＃２は、ステップＳ２００６において、移動管理ノードＭＭＥに対して、「ＦＧＩ  ｂｉｔ  ｃｏｍｍｏｎ  ｐａｒｔ」及び「ＴＤＤ  ｕｎｉｑｕｅ  ｐａｒｔ」からなるＦＧＩビットセットを含む「ＴＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信し、ステップＳ２００７において、かかる「ＴＤＤ  ＵＥ  Ｃａｐａｂｉｌｉｔｙ」を保持する。
【００６３】
ステップＳ２００８において、移動管理ノードＭＭＥは、通知された「ＴＤＤ  ＵＥ  Ｃａｐａｂｉｌｉｔｙ」を保持する。
【００６４】
その後、移動局ＵＥは、ステップＳ２００９において、無線基地局ｅＮＢ＃２配下のセル（ＴＤＤネットワーク）において接続状態（ＲＲＣ  Ｃｏｎｎｅｃｔｅｄ  ｓｔａｔｅ）に遷移し、ステップＳ２０１０において、無線基地局ｅＮＢ＃２に対して、「Ｍｅａｓｕｒｅｍｅｎｔ  Ｒｅｐｏｒｔ」を送信する。
【００６５】
ステップＳ２０１１において、無線基地局ｅＮＢ＃２は、無線基地局ｅＮＢ＃１に対して、「ＦＧＩ  ｂｉｔ  ｃｏｍｍｏｎ  ｐａｒｔ」を含む「Ｈａｎｄｏｖｅｒ  Ｒｅｑｕｅｓｔ」を送信する。
【００６６】
ここで、「Ｈａｎｄｏｖｅｒ  Ｒｅｑｕｅｓｔ」には、「ＴＤＤ  ｕｎｉｑｕｅ  ｐａｒｔ」は含まれていなくてもよい。
【００６７】
ステップＳ２０１２において、無線基地局ｅＮＢ＃１は、無線基地局ｅＮＢ＃２に対して、「Ｈａｎｄｏｖｅｒ  Ｒｅｑｕｅｓｔ  Ａｃｋ」を送信する。
【００６８】
ここで、「Ｈａｎｄｏｖｅｒ  Ｒｅｑｕｅｓｔ  Ａｃｋ」には、「ＦＧＩ  ｂｉｔ  ｃｏｍｍｏｎ  ｐａｒｔ」に基づいて設定された「Ｈａｎｄｏｖｅｒ  Ｃｏｍｍａｎｄ」が含まれている。
【００６９】
ステップＳ２０１３において、無線基地局ｅＮＢ＃２は、移動局ＵＥに対して、かかる「Ｈａｎｄｏｖｅｒ  Ｃｏｍｍａｎｄ」を送信する。
【００７０】
ステップＳ２０１４において、移動局ＵＥは、無線基地局ｅＮＢ＃１に対して、「Ｈａｎｄｏｖｅｒ  Ｃｏｍｐｌｅｔｅ」を送信する。
【００７１】
ステップＳ２０１５において、無線基地局ｅＮＢ＃１は、移動局ＵＥに対して、「ＦＤＤ  ｕｎｉｑｕｅ  ｐａｒｔ」を含む「ＦＤＤ  ＵＥ  Ｃａｐａｂｉｌｉｔｙ」を要求する「ＵＥ  Ｃａｐａｂｉｌｉｔｙ  Ｒｅｑｕｅｓｔ」を送信する。
【００７２】
ステップＳ２０１６において、移動局ＵＥは、無線基地局ｅＮＢ＃１に対して、「ＦＤＤ  ｕｎｉｑｕｅ  ｐａｒｔ」を含む「ＦＤＤ  ＵＥ  Ｃａｐａｂｉｌｉｔｙ」を通知するための「ＵＥ  Ｃａｐａｂｉｌｉｔｙ  Ｉｎｆｏｒｍａｔｉｏｎ」を送信する。
【００７３】
ここで、「ＦＤＤ  ＵＥ  Ｃａｐａｂｉｌｉｔｙ」には、「ＦＧＩ  ｂｉｔ  ｃｏｍｍｏｎ  ｐａｒｔ」が含まれていてもよい。
【００７４】
ステップＳ２０１７において、無線基地局ｅＮＢ＃１は、移動局ＵＥから受信した「ＦＤＤ  ｕｎｉｑｕｅ  ｐａｒｔ」を保持し、移動管理ノードＭＭＥに対して、「ＦＤＤ  ｕｎｉｑｕｅ  ｐａｒｔ」及び「ＦＧＩ  ｂｉｔ  ｃｏｍｍｏｎ  ｐａｒｔ」を含む「ＦＤＤ  ＵＥ  Ｃａｐａｂｉｌｉｔｙ」を通知するための「ＵＥ  Ｃａｐａｂｉｌｉｔｙ  Ｉｎｆｏ  Ｉｎｄｉｃａｔｉｏｎ」を送信する。
【００７５】
ステップＳ２０１８において、移動管理ノードＭＭＥは、通知された「ＦＤＤ  ＵＥ  Ｃａｐａｂｉｌｉｔｙ」を保持する。
【００７６】
本実施形態に係る移動通信システムでは、移動局ＵＥの同一の位置登録エリア内の無線基地局ｅＮＢ＃１配下のセルから無線基地局ｅＮＢ＃２配下のセルへのハンドオーバ処理において、「ＦＧＩ  ｂｉｔ  ｃｏｍｍｏｎ  ｐａｒｔ」の転送のみが行われ、かかるハンドオーバ処理が完了した後に、無線基地局ｅＮＢ＃２が、移動局ＵＥから、「ＴＤＤ  ｕｎｉｑｕｅ  ｐａｒｔ」を取得するように構成されている。
【００７７】
したがって、本実施形態に係る移動通信システムによれば、移動局ＵＥが、デタッチ処理を行うことなく、同一の位置登録エリア内のＦＤＤ方式の無線基地局ｅＮＢ＃１配下のセルからＴＤＤ方式の無線基地局ｅＮＢ＃２配下のセルにハンドオーバすることができる。
【００７８】
同様に、本実施形態に係る移動通信システムでは、移動局ＵＥの同一の位置登録エリア内の無線基地局ｅＮＢ＃２配下のセルから無線基地局ｅＮＢ＃１配下のセルへのハンドオーバ処理において、「ＦＧＩ  ｂｉｔ  ｃｏｍｍｏｎ  ｐａｒｔ」の転送のみが行われ、かかるハンドオーバ処理が完了した後に、無線基地局ｅＮＢ＃１が、移動局ＵＥから、「ＦＤＤ  ｕｎｉｑｕｅ  ｐａｒｔ」を取得するように構成されている。
【００７９】
したがって、本実施形態に係る移動通信システムによれば、移動局ＵＥが、デタッチ処理を行うことなく、同一の位置登録エリア内のＴＤＤ方式の無線基地局ｅＮＢ＃２配下のセルからＦＤＤ方式の無線基地局ｅＮＢ＃１配下のセルにハンドオーバすることができる。
【００８０】
以上に述べた本実施形態の特徴は、以下のように表現されていてもよい。
【００８１】
本実施形態の第１の特徴は、ＦＤＤ方式のネットワーク及びＴＤＤ方式のネットワークを具備する移動通信システムであって、ＦＧＩビットセット（移動局ＵＥによってサポートされている必須機能について示す機能グループ指示情報）は、「ＦＧＩ  ｂｉｔ  ｃｏｍｍｏｎ  ｐａｒｔ（ＦＤＤ方式及びＴＤＤ方式で共通する共通部分）」と、「ＦＤＤ  ｕｎｉｑｕｅ  ｐａｒｔ/ＴＤＤ  ｕｎｉｑｕｅ  ｐａｒｔ（ＦＤＤ方式及びＴＤＤ方式の各々に固有の固有部分）」とによって構成されており、移動局ＵＥは、ＦＤＤ方式のネットワークにアタッチ処理を行う際に、かかるＦＤＤ方式のネットワーク対して、「ＦＤＤ  ｕｎｉｑｕｅ  ｐａｒｔ」及び「ＦＧＩ  ｂｉｔ  ｃｏｍｍｏｎ  ｐａｒｔ」からなるＦＧＩビットセットを報告するように構成されており、移動局ＵＥは、ＴＤＤ方式のネットワークにアタッチ処理を行う際に、かかるＴＤＤ方式のネットワーク対して、「ＴＤＤ  ｕｎｉｑｕｅ  ｐａｒｔ」及び「ＦＧＩ  ｂｉｔ  ｃｏｍｍｏｎ  ｐａｒｔ」からなるＦＧＩビットセットを報告するように構成されており、ＦＤＤ方式のネットワーク及びＴＤＤ方式のネットワークは、「ＦＧＩ  ｂｉｔ  ｃｏｍｍｏｎ  ｐａｒｔ」と「ＦＤＤ  ｕｎｉｑｕｅ  ｐａｒｔ/ＴＤＤ  ｕｎｉｑｕｅ  ｐａｒｔ」とを区別することができるように構成されていることを要旨とする。
【００８２】
本実施形態の第２の特徴は、移動局ＵＥが、ＦＤＤ方式の無線基地局ｅＮＢ＃１配下のセルからＴＤＤ方式の無線基地局ｅＮＢ＃２配下のセルにハンドオーバする移動通信方法であって、ＦＧＩビットセットは、「ＦＧＩ  ｂｉｔ  ｃｏｍｍｏｎ  ｐａｒｔ」と、「ＦＤＤ  ｕｎｉｑｕｅ  ｐａｒｔ/ＴＤＤ  ｕｎｉｑｕｅ  ｐａｒｔ」とによって構成されており、ＦＤＤ方式の無線基地局ｅＮＢ＃１が、ＴＤＤ方式の無線基地局ｅＮＢ＃２に対して、「ＦＧＩ  ｂｉｔ  ｃｏｍｍｏｎ  ｐａｒｔ」を含む「Ｈａｎｄｏｖｅｒ  Ｒｅｑｕｅｓｔ（ハンドオーバ要求信号）」を送信する工程と、ＴＤＤ方式の無線基地局ｅＮＢ＃２が、移動局ＵＥからの「Ｈａｎｄｏｖｅｒ  Ｃｏｍｐｌｅｔｅ（ハンドオーバ完了信号）」に応じて、移動局ＵＥから、「ＴＤＤ  ｕｎｉｑｕｅ  ｐａｒｔ」を取得する工程と、ＴＤＤ方式の無線基地局ｅＮＢ＃２が、移動管理ノードＭＭＥに対して、「ＴＤＤ  ｕｎｉｑｕｅ  ｐａｒｔ」及び「ＦＧＩ  ｂｉｔ  ｃｏｍｍｏｎ  ｐａｒｔ」を報告する工程とを有することを要旨とする。
【００８３】
本実施形態の第３の特徴は、移動局ＵＥが、ＴＤＤ方式の無線基地局ｅＮＢ＃２配下のセルからＦＤＤ方式の無線基地局ｅＮＢ＃１配下のセルにハンドオーバする移動通信方法であって、ＦＧＩビットセットは、「ＦＧＩ  ｂｉｔ  ｃｏｍｍｏｎ  ｐａｒｔ」と、「ＦＤＤ  ｕｎｉｑｕｅ  ｐａｒｔ/ＴＤＤ  ｕｎｉｑｕｅ  ｐａｒｔ」とによって構成されており、ＴＤＤ方式の無線基地局ｅＮＢ＃２が、ＦＤＤ方式の無線基地局ｅＮＢ＃１に対して、「ＦＧＩ  ｂｉｔ  ｃｏｍｍｏｎ  ｐａｒｔ」を含む「Ｈａｎｄｏｖｅｒ  Ｒｅｑｕｅｓｔ」を送信する工程と、ＦＤＤ方式の無線基地局ｅＮＢ＃１が、移動局ＵＥからの「Ｈａｎｄｏｖｅｒ  Ｃｏｍｐｌｅｔｅ」に応じて、移動局ＵＥから、「ＦＤＤ  ｕｎｉｑｕｅ  ｐａｒｔ」を取得する工程と、ＦＤＤ方式の無線基地局ｅＮＢ＃１が、移動管理ノードＭＭＥに対して、「ＦＤＤ  ｕｎｉｑｕｅ  ｐａｒｔ」及び「ＦＧＩ  ｂｉｔ  ｃｏｍｍｏｎ  ｐａｒｔ」を報告する工程とを有することを要旨とする。
【００８４】
なお、上述の移動管理ノードＭＭＥや無線基地局ｅＮＢ＃１/ｅＮＢ＃２や移動局ＵＥの動作は、ハードウェアによって実施されてもよいし、プロセッサによって実行されるソフトウェアモジュールによって実施されてもよいし、両者の組み合わせによって実施されてもよい。
【００８５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢ＃１/ｅＮＢ＃２や移動局ＵＥ内に設けられていてもよい。また、かかる記憶媒体及びプロセッサは、ディスクリートコンポーネントとして移動管理ノードＭＭＥや無線基地局ｅＮＢ＃１/ｅＮＢ＃２や移動局ＵＥ内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８８】
ＭＭＥ…移動管理ノード
ＵＥ…移動局
ｅＮＢ＃１、ｅＮＢ＃２…無線基地局
１１、２１…管理部
１２…受信部
１３…送信部
２２…アタッチ処理部
２３…ハンドオーバ処理部
【図１】
2013102293.tif 000003
【図２】
2013102293.tif 000004
【図３】
2013102293.tif 000005
【図４】
2013102293.tif 000006
【図５】
2013102293.tif 000007
【図６】
2013102293.tif 000008